(57)【特許請求の範囲】
【請求項１】
遊技機に対応して設けられ、受付けた紙幣の金額の範囲内で前記遊技機において使用する遊技媒体を貸与するための貸与処理を行なう貸与処理手段を有する遊技用装置であって、
紙幣が挿入される縦長状の紙幣挿入口と、
該紙幣挿入口側へエアを吹出すことが可能な位置に設けられた、縦長状のエア吹出口と、
前記エアを前記エア吹出口に供給するエア供給部と、
前記紙幣挿入口への物体の接近を検出するセンサと、
該センサによる物体の検出に基づいて、前記エア供給部から前記エア吹出口へのエアの供給を弱めるまたは停止する制御を行なう物体接近時エア制御手段と、
を備えていることを特徴とする、遊技用装置。
【請求項２】
遊技機に対応して設けられ、受付けた紙幣の金額の範囲内で前記遊技機において使用する遊技媒体を貸与するための貸与処理を行なう貸与処理手段を有する遊技用装置であって、
紙幣が挿入される縦長状の紙幣挿入口と、
遊技用装置前方の紙幣を取出す側へエアを吹出すことが可能な位置に設けられた、縦長状のエア吹出口と、
前記エアを前記エア吹出口に供給するエア供給部と、
前記紙幣挿入口に挿入された紙幣を収納するとともに、開放されることにより遊技用装置前方から前記収納された紙幣を取出し可能な金庫と、
該金庫を開放するときに前記エア供給部から前記エア吹出口へのエアの供給を弱めるまたは停止する制御を行なう金庫開放時エア制御手段と、
を備えていることを特徴とする、遊技用装置。
【請求項３】
遊技機に対応して設けられ、受付けた紙幣の金額の範囲内で前記遊技機において使用する遊技媒体を貸与するための貸与処理を行なう貸与処理手段を有する遊技用装置であって、
紙幣が挿入される縦長状の紙幣挿入口と、
縦長状に設けられエアを吹出すエア吹出口と、
前記エアを前記エア吹出口に供給するエア供給部と、
前記対応する遊技機における遊技に伴い発生する遊技情報を入力する入力部と、
該入力部に入力された遊技情報に基づいて、前記エア供給部から前記エア吹出口へ供給されるエアの強さを変更する制御である変更制御を行なう遊技状況対応エア制御手段とを備え、
前記遊技状況対応エア制御手段は、前記変更制御を行なうときに、前記対応する遊技機側に隣接する遊技用装置において、前記エアの強さを変更するための制御を行なうことを特徴とする、遊技用装置。
【請求項４】
前記金庫は、遊技用装置の前面パネルと共に前方に引出された引出し状態となることにより開放され、
前記エア供給部は、遊技用装置本体側に設けられ、前記エアを前記前面パネルに設けられたエア吹出口に誘導する誘導路を含み、
前記前面パネルの前記エア吹出口の背面側または前記誘導路の先端に設けられ、前記金庫が閉塞されたときに前記誘導路の先端と前記エア吹出口の背面側を連結する連結部をさらに有し、
該連結部は、弾性部材により構成されていることを特徴とする、請求項２に記載の遊技用装置。
【発明の詳細な説明】
【技術分野】
【０００１】
本発明は、たとえばパチンコ遊技機やコイン遊技機あるいはスロットマシン等の遊技機に対応して設けられ、受付けた紙幣の金額の範囲内で前記遊技機において使用する遊技媒体を貸与するための貸与処理を行なう貸与処理手段を有する遊技用装置に関する。
【背景技術】
【０００２】
この種の遊技用装置において、従来から一般的に知られているものに、たとえば、紙幣を受付けて遊技媒体の一例のメダルを貸出す遊技媒体貸出機があった（特許文献１）。この遊技媒体貸出機においては、紙幣を挿入するための紙幣挿入口が横長状に設けられており、その紙幣挿入口の下部側方に、隣の遊技機から煙草の煙が流れ込むのを防止するためにエアを吹出すエア吹出口が設けられていた。
【特許文献１】特開２００６−１５００４３号公報
【発明の開示】
【発明が解決しようとする課題】
【０００３】
しかし、この特許文献１に記載の遊技媒体貸出装置は、横長状の紙幣挿入口が設けられ、その下部側方にエア吹出口が設けられているため、遊技媒体貸出装置の横幅が大きなものとなってしまい、遊技媒体貸出装置が占有するスペースが大きなものとなってしまうという欠点があった。
【０００４】
本発明は、係る実情に鑑み考え出されたものであり、その目的は、隣の遊技機の遊技者からの煙草の煙が流れ込むのを防止するためのエアを吹出すエア吹出口を設けつつもスペースが大きくなる不都合を極力防止することである。
【課題を解決するための手段の具体例およびその効果】
【０００５】
（１）  遊技機（たとえば、パチンコ遊技機２ａ、２ｂ、２ｃ・・・）に対応して設けられ、受付けた紙幣の金額の範囲内で前記遊技機において使用する遊技媒体（たとえば、パチンコ玉）を貸与するための貸与処理を行なう貸与処理手段（たとえば、制御基板１８）を有する遊技用装置（たとえば、カード処理機１ａ、１ｂ、１ｃ・・・、またはカード処理機１ａ、１ｂ、１ｃ・・・とホール用コンピュータ４９や中継用島コンピュータ４８、またはカード処理機１ａ、１ｂ、１ｃ・・・と図１５の大型軸流ファン３６、またはカード処理機１ａ、１ｂ、１ｃ・・・と図１５の大型軸流ファン３６とホール用コンピュータ４９や中継用島コンピュータ４８）であって、
紙幣が挿入される縦長状の紙幣挿入口（たとえば、紙幣挿入口３）と、
該紙幣挿入口側へエアを吹出すことが可能な位置に設けられた、縦長状のエア吹出口（たとえば、エア吹出口４）と、
前記エアを前記エア吹出口に供給するエア供給部（たとえば、シロッコファン２２や軸流ファン３６と吹出経路２４、または図１５の変形例の場合の吹出経路２４）と、
前記紙幣挿入口への物体の接近を検出するセンサ（たとえば、接近感知センサ１０）と、
該センサによる物体の検出に基づいて、前記エア供給部から前記エア吹出口へのエアの供給を弱めるまたは停止する制御を行なう物体接近時エア制御手段（たとえば、図５、図１５のＳ６、Ｓ１０）と、
を備えていることを特徴とする。
【０００６】
このような構成によれば、紙幣挿入口が縦長状に設けられており、その紙幣挿入口の側方に縦長状にエア吹出口が設けられているために、遊技用装置の横幅を小さくでき、その結果占有スペースを小さくできる。さらに、このような構成によれば、紙幣挿入口へ物体が近接したときにはエアの吹出しが弱まるまたは停止されるので、遊技者が紙幣を紙幣挿入口に挿入する際に吹出すエアが邪魔する不都合を極力防止できる。
【０００７】
（２）  遊技機（たとえば、パチンコ遊技機２ａ、２ｂ、２ｃ・・・）に対応して設けられ、受付けた紙幣の金額の範囲内で前記遊技機において使用する遊技媒体（たとえば、パチンコ玉）を貸与するための貸与処理を行なう貸与処理手段（たとえば、制御基板１８）を有する遊技用装置（たとえば、カード処理機１ａ、１ｂ、１ｃ・・・、またはカード処理機１ａ、１ｂ、１ｃ・・・とホール用コンピュータ４９や中継用島コンピュータ４８、またはカード処理機１ａ、１ｂ、１ｃ・・・と図１５の大型軸流ファン３６、またはカード処理機１ａ、１ｂ、１ｃ・・・と図１５の大型軸流ファン３６とホール用コンピュータ４９や中継用島コンピュータ４８）であって、
紙幣が挿入される縦長状の紙幣挿入口（たとえば、紙幣挿入口３）と、
遊技用装置前方の紙幣を取出す側へエアを吹出すことが可能な位置に設けられた、縦長状のエア吹出口（たとえば、エア吹出口４）と、
前記エアを前記エア吹出口に供給するエア供給部（たとえば、シロッコファン２２や軸流ファン３６と吹出経路２４、または図１５の変形例の場合の吹出経路２４）と、
前記紙幣挿入口に挿入された紙幣を収納するとともに、開放されることにより遊技用装置前方から前記収納された紙幣を取出し可能な金庫（たとえば、金庫３０）と、
該金庫を開放するときに前記エア供給部から前記エア吹出口へのエアの供給を弱めるまたは停止する制御を行なう金庫開放時エア制御手段（たとえば、図１５のＳ１、Ｓ１０）と、
を備えていることを特徴とする。
【０００８】
このような構成によれば、紙幣挿入口が縦長状に設けられており、その紙幣挿入口の側方に縦長状にエア吹出口が設けられているために、遊技用装置の横幅を小さくでき、その結果占有スペースを小さくできる。さらに、このような構成によれば、金庫に収納された紙幣を遊技場の店員が回収する際にはエアの吹出しが弱まるまたは停止されるので、紙幣を回収する際に吹出すエアが邪魔する不都合を極力防止できる。
【０００９】
（３）  遊技機（たとえば、パチンコ遊技機２ａ、２ｂ、２ｃ・・・）に対応して設けられ、受付けた紙幣の金額の範囲内で前記遊技機において使用する遊技媒体（たとえば、パチンコ玉）を貸与するための貸与処理を行なう貸与処理手段（たとえば、制御基板１８）を有する遊技用装置（たとえば、カード処理機１ａ、１ｂ、１ｃ・・・、またはカード処理機１ａ、１ｂ、１ｃ・・・とホール用コンピュータ４９や中継用島コンピュータ４８、またはカード処理機１ａ、１ｂ、１ｃ・・・と図１５の大型軸流ファン３６、またはカード処理機１ａ、１ｂ、１ｃ・・・と図１５の大型軸流ファン３６とホール用コンピュータ４９や中継用島コンピュータ４８）であって、
紙幣が挿入される縦長状の紙幣挿入口（たとえば、紙幣挿入口３）と、
縦長状に設けられエアを吹出すエア吹出口（たとえば、エア吹出口４）と、
前記エアを前記エア吹出口に供給するエア供給部（たとえば、シロッコファン２２や軸流ファン３６と吹出経路２４、または図１５の変形例の場合の吹出経路２４）と、
前記対応する遊技機における遊技に伴い発生する遊技情報（たとえば、大当り中信号と打込玉検出信号）を入力する入力部（たとえば、入出力インターフェイス４７）と、
該入力部に入力された遊技情報に基づいて、前記エア供給部から前記エア吹出口へ供給されるエアの強さを変更する制御である変更制御を行なう遊技状況対応エア制御手段（たとえば、図５、図１５のＳ７、Ｓ９、Ｓ１０、Ｓ１２、Ｓ１４、Ｓ１６、Ｓ１７）とを備え、
遊技状況対応エア制御手段は、前記変更制御を行なうときに、前記対応する遊
技機側（たとえば、パチンコ遊技機２ｂ側）に隣接する遊技用装置（たとえば、カード処理機１ｃ）において、前記エアの強さを変更するための制御を行なう（図５、図１５のＳ１１、Ｓ１５）ことを特徴とする。
【００１０】
このような構成によれば、紙幣挿入口が縦長状に設けられており、その紙幣挿入口の側方に縦長状にエア吹出口が設けられているために、遊技用装置の横幅を小さくでき、その結果占有スペースを小さくできる。さらに、このような構成によれば、対応する遊技機における遊技に伴い発生する遊技情報に基づいて、エア供給部からエア吹出口へ供給されるエアの強さを変更する制御が行なわれるために、対応する遊技機の遊技状況に応じて吹出すエアを適切な強さに調整することができる。また、このような構成によれば、遊技機の両側に隣接する遊技用装置がともに、当該遊技機の遊技状況に応じて吹出すエアの強さを適切な強さに調整することができる。
【００１１】
（４）  前記金庫は、遊技用装置の前面パネル（たとえば、前面パネル３５）と共に前方に引出された引出し状態となることにより開放され（たとえば、図８〜図１１）、
前記エア供給部は、遊技用装置本体側に設けられ（たとえば、シロッコファン２２や軸流ファン３６と吹出経路２４がカード処理機１ｂ側に設けられ）、前記エアを前記前面パネルに設けられたエア吹出口に誘導する誘導路（たとえば、吹出経路２４）を含み、
前記前面パネルの前記エア吹出口の背面側（たとえば、背面側部材３４）または前記誘導路の先端（たとえば、吹出経路２４の先端）に設けられ、前記金庫が閉塞されたときに前記誘導路の先端と前記エア吹出口の背面側を連結する連結部（たとえば、パッキン３３）をさらに有し、
該連結部は、弾性部材（たとえば、ゴム）により構成されていることを特徴とする。
【００１２】
このような構成によれば、前面パネルとともに前方に引出された開放状態となった金庫を閉塞したときに、前面パネルに設けられたエア吹出口にエアを誘導する誘導路の先端とエア吹出口の背面側とを連結する連結部が弾性部材により構成されているために、金庫を引出した後に元の位置に戻した場合であっても連結部からエア漏れする不都合を極力防止することができる。
【発明を実施するための最良の形態】
【００１７】
次に、図面に基づいて本発明の実施の形態を詳細に説明する。以下の説明では、同一の部品には同一の符号を付してある。なお、この実施の形態では、遊技機の一例としてパチンコ遊技機に基づいて説明しているが、これに限定されるものではなく、たとえば、他の種類の遊技機（たとえば、スロットマシン等）であってもよい。
【００１８】
［第１の実施の形態］
図１は、遊技場の遊技機設置島１００に設置された遊技機の一例のパチンコ遊技機２ａ、２ｂ、２ｃ…およびその各パチンコ遊技機２ａ、２ｂ、２ｃ…の台間に設置されたカード処理機１ａ、１ｂ、１ｃ…を示す正面図である。各カード処理機１ａ、１ｂ、１ｃ…には、縦長状の紙幣挿入口３と、その紙幣挿入口３の側方に縦長状のエア吹出口４とが設けられている。各パチンコ遊技機２ａ、２ｂ、２ｃの向かって左側に隣接しているカード処理機１ａ、１ｂ、１ｃが、パチンコ遊技機に対応するカード処理機である。したがって、たとえば遊技者がパチンコ遊技機２ｂにより遊技を行なう場合には、それに対応して設けられているカード処理機１ｂの紙幣挿入口３に紙幣を挿入することにより、遊技媒体の一例のパチンコ玉が遊技機２ｂの上皿６に貸出される。遊技者は、遊技機２ｂの右下に設けられている打球操作ハンドル７を操作することにより、上皿６に貸出されたパチンコ玉を遊技領域５内に打込むことができる。
【００１９】
ここで、パチンコ遊技機２ａ、２ｂ、２ｃ…での遊技を、第１種のパチンコ遊技機を例に挙げて簡単に説明する。遊技領域５に打込まれた打玉が始動入賞領域（始動入賞口）に入賞することにより、変動表示装置が変動表示した後表示結果を導出表示し、その表示結果が予め定められた特定の表示態様（たとえば７７７）となれば、可変入賞球装置が開成して遊技者にとって有利な特定遊技状態（大当り状態）に移行する。この大当り状態では、開成した可変入賞球装置に所定個数（たとえば１０個）の打玉が入賞するかあるいは所定時間（たとえば３０秒間）経過するかのうちいずれか早い方の条件が成立したことにより可変入賞球装置が閉成して１ラウンドが終了し、その後再度可変入賞球装置が開成して第２ラウンドが開始され、所定の最終ラウンドまで繰返し実行された後大当り状態が終了する。この大当り中に多量の打玉が可変入賞球装置内に入賞して多量の景品玉が上皿６に払出される。
【００２０】
なお、遊技領域５に打込まれたパチンコ玉は、パチンコ遊技機内に回収されて島１００側に還元されるのであり、その際に打込玉検出スイッチ（図１では図示省略）により検出されるように構成されている。
【００２１】
各パチンコ遊技機２ａ、２ｂ、２ｃ…の膳板８には、灰皿９が設けられている。遊技中の遊技者は、その灰皿９を利用して煙草を吸うことができる。特に、前述した大当り状態が発生したときには、一般的に遊技者は喫煙を開始する傾向がある。この煙草の煙が隣で遊技をしている遊技者の方に流れ込むことを防止するべく、エア吹出口４からエアが吹出されるように構成されている。各カード処理機１ａ、１ｂ、１ｃ…には、後述するようにシロッコファン２２が設けられており、そのシロッコファン２２が作動することによりエア吸込口１２からエアが吸込まれてエア吹出口４からエアが吹出される。このエア吹出口４には、後述するようにルーバ１４（図２、図３参照）が設けられており、上方、前方、下方の全方向に向けてエアが吹出される。その結果、たとえばパチンコ遊技機２ｂで遊技を行なっている遊技者が煙草を吸った場合に、その吹出されるエアがエアカーテンの役目を果たし、煙草の煙が左右に隣接するパチンコ遊技機側に流れていくことが極力防止できる。しかも、灰皿９に煙草を置いた場合には、その灰皿９に置かれている煙草から上がる煙がエア吸込口１２により吸込まれるために、その煙が隣の遊技機側に流れ込むことをより一層確実に防止することができる。
【００２２】
図２は、カード処理機１ｂの構成を示す図である。（ａ）は正面図、（ｂ）は内部の構成を示す断面図、（ｃ）は上方から見た平面図である。
【００２３】
紙幣挿入口３に挿入された紙幣（たとえば千円札）は、紙幣識別機１７内に取込まれ、その真贋が判別される。不適正な紙幣の場合は紙幣挿入口３からその紙幣が排出される。一方、適正な紙幣であった場合にはその紙幣が取込まれ、取込まれた紙幣が遊技機設置島１００内に設けられている紙幣搬送装置によって自動的に搬送され、遊技機設置島１００の端部に設けられた金庫内に収納される。そして、適正な紙幣が挿入された旨の信号が紙幣識別機１７から中継基板２３、中継基板２０、を介して制御基板１８に入力される。制御基板１８には、玉貸制御用マイクロコンピュータが設けられており、入力された信号に基づいて所定金額（たとえば５００円）分のパチンコ玉を貸出す旨の指令信号を対応するパチンコ遊技機２ｂの払出制御用マイクロコンピュータへ出力する。それを受けた払出制御用マイクロコンピュータは、所定個数のパチンコ玉を上皿６へ払出す。
【００２４】
そして、貸出した後の残り金額（残高）を表示するための信号が、玉貸制御用マイクロコンピュータから中継基板２０を介して残高表示器１１へ伝送され、残高（５００円）が残高表示器１１により表示される。
【００２５】
カード処理機１ｂには、電源基板１９が設けられており、商用電源から供給された電力が所定の電圧に変換されて、電源基板１９から中継基板２０を介して制御基板１８に供給されるとともに、中継基板２０、中継基板２３を介して紙幣識別機１７に供給され、さらに、中継基板２０を介してシロッコファン２２に供給される。
【００２６】
カード処理機１ｂには、さらに、ＩＣコイン投入口１３、ＩＣコイン返却口１６、ＩＣカード挿入／排出口１５が設けられている。遊技者が当該遊技場の会員となっており、会員カードとしてのＩＣカードを持っている場合には、そのＩＣカードをＩＣカード挿入／排出口１５に挿入することにより、そのＩＣカードに記録されている有価価値を用いて玉貸を行なうことが可能となる。また遊技者がビジターの場合には、ＩＣコインをＩＣコイン投入口１３に投入することにより、玉貸を受けることが可能となる。さらに、残高表示器１１に残高が表示されている状態で遊技者が遊技を終了する場合には、その残高に相当する有価価値を有するＩＣカードが遊技者に返却される。一方、残高表示器１１に残高が表示されている状態で遊技を終了する際に、ＩＣカードがＩＣカード挿入／排出口１５に挿入されていない場合には、その残高表示器に表示されている残高に相当する価値を有するＩＣコインがＩＣコイン返却口１６から遊技者に払出される。
【００２７】
カード処理機１ｂには、ファンモータ制御基板２１が設けられており、シロッコファン２２のファンモータ（図示省略）がこのファンモータ制御基板２１により制御される。その制御の内容については、後に詳しく説明する。
【００２８】
カード処理機１ｂの電源が投入された段階で、シロッコファン２２が作動開始し、シロッコファン２２がエア吸込口１２からエアを吸込み、その吸込まれたエアが吸込経路２７、シロッコファン２２、吹出経路２４を経由してエア吹出口４から吹出される。エア吸込口には、粗目フィルタ２５が設けられており、吸込まれたエア中に含まれている大き目の粉塵がこの粗目フィルタ２５により除去される。この粗目フィルタ２５の奥側には、細目フィルタ２６が設けられており、この細目フィルタ２６により、吸込まれたエア中に含まれている細かな粉塵（煙草の煙の粒子等）が除去される。
【００２９】
一方、エア吹出口４には、複数（図面上では４個）のルーバ１４が設けられており、このルーバ１４により、エアが前方ばかりでなく下方にも吹出されるようになる。
【００３０】
紙幣挿入口３の下方には、赤外線センサからなる接近感知センサ１０が設けられている。遊技者が紙幣を紙幣挿入口３から挿入しようとしたときに、その遊技者の手が接近感知センサ１０により検出され、その検出信号が中継基板２３を介してファンモータ制御基板２１へ入力され、後述するように、ファンモータが停止制御されてシロッコファン２２が停止する。その結果、エア吹出口４からのエアの吹出しが停止され、紙幣を紙幣挿入口３に挿入する際に吹出すエアが邪魔する不都合が防止できる。
【００３１】
図３は、シロッコファン２２の作動中におけるエアの流れを説明するための図である。図３（ａ）は、要部拡大断面図、図３（ｂ）は、（ａ）のＢ−Ｂ断面図、図３（ｃ）は、（ａ）のＡ−Ａ断面図である。
【００３２】
まずエア吸込口１２から吸込まれるエアは、粗目フィルタ２５を通過する。その際に、エア中に含まれる大きめの粉塵がこの粗目フィルタ２５により除去される。次に、エアが細目フィルタ２６を通過する。細目フィルタ２６は、複数層（図面上では７層）設けられており、奥側にいくに従って、より一層きめ細かな目のフィルタとなっている。この細目フィルタ２６を通過することにより、エア中に含まれている細かな粉塵（たとえば煙草の煙の粒子）が除去される。その後エアが吸込経路２７を通ってシロッコファン２２内に入り、そのシロッコファン２２から吹出経路２４を経由してエア吹出口４から吹出される。吹出経路２４の横断面形状は、（ｃ）に示す形状となっている。この吹出経路２４を経由してその前方側に設けられているエア吹出口４からエアが吹出される。
【００３３】
このエア吹出口４には、複数（４個）のルーバ１４が設けられており、このルーバ１４の向きにより、エアが上方や前方ばかりでなく下方にも吹出されるようになる。
【００３４】
図４は、カード処理機１ａ、１ｂおよびパチンコ遊技機２ａ、２ｂの制御回路を示すブロック図である。カード処理機１ａ、１ｂに設けられている前述したファンモータ制御基板２３には、ファンモータ制御用マイクロコンピュータ４３が設けられている。ファンモータ制御用マイクロコンピュータ４３は、制御中枢としてのＣＰＵ４４、ＣＰＵ４４を動作させるためのプログラムを記憶しているＲＯＭ４５、ＣＰＵ４４のワークエリアとしてのＲＡＭ４６、外部機器との信号の入出力を行なうための入出力インターフェイス４７を備えている。
【００３５】
パチンコ遊技機２ａ、２ｂには、遊技制御を行なうための遊技制御用マイクロコンピュータ４２が設けられており、その遊技制御用マイクロコンピュータ４２に対し信号の入出力を行なうための入出力インターフェイス４１が設けられている。
【００３６】
カード処理機１ｂに設けられている前述した接近感知センサ１０からの検出信号が、入出力インターフェイス４７を介してＣＰＵ４４に入力される。ＣＰＵ４４によるファンモータ制御用の信号が入出力インターフェイス４７を介してファンモータ２２ｍに与えられる。さらに、前述したパチンコ遊技機２ａ、２ｂの遊技領域５に打込まれた打込玉を検出する打込玉検出スイッチ４０からの打込玉検出信号が、入出力インターフェイス４７を介してＣＰＵ４４に入力される。
【００３７】
さらに、パチンコ遊技機２ａ、２ｂが前述した大当り状態となると、その大当り状態となっている最中継続して大当り中信号がパチンコ遊技機２ａ、２ｂから出力され、その大当り中信号が入出力インターフェイス４７を介してＣＰＵ４４に入力される。一方、この大当り中信号は、遊技機設置島１００に設けられている中継用島コンピュータ４８にも出力され、その大当り中信号が中継用島コンピュータ４８を経由してホール用管理コンピュータ４９に入力される。ホール用管理コンピュータ４９では、その入力されたパチンコ遊技機毎の大当り中信号等に基づいて、釘調整等に役立つデータを集計して出力する。
【００３８】
また、各カード処理機１ａ、１ｂ…は、対応するパチンコ遊技機側に隣接するカード処理機に対して、ファンモータ２２ｍの回転速度を調整するためのコマンド（高速度コマンド等）を送信する。たとえば、カード処理機１ａは対応するパチンコ遊技機２ａ側に隣接するカード処理機１ｂに対して前述のコマンドを送信し、カード処理機１ｂは、対応するパチンコ遊技機２ｂ側に隣接するカード処理機１ｃに対して前述のコマンドを送信する。
【００３９】
図５は、各カード処理機１ａ、１ｂ、１ｃ…に設けられているファンモータ制御用マイクロコンピュータ４３の制御動作を示すフローチャートである。まずステップＳ（以下単にＳという）６により、接近感知センサが物体の接近を検知してＯＮになっているか否かを判断がなされる。ＯＮになっていない場合にはＳ７により、遊技機から排出された打込玉を検出する打込玉検出スイッチ４０からの検出信号が入力されているか否かの判断がなされ、入力されていない場合にはＳ８へ進み、隣のカード処理機１ａから打込玉検出信号の入力があったか否かの判断がなされ、ない場合にはＳ９へ進み、Ｓ６、Ｓ７、Ｓ８によりＮＯの判断がなされてから所定時間（たとえば２分間）が経過したか否かの判断がなされ、未だ経過していない場合にはＳ１７に進み、ファンモータを通常速度で駆動する制御を行なってＳ６へ戻る。つまり、打込玉検出信号が入力されて来ないということは遊技者が玉を遊技領域５に打込んでいないということであり、パチンコ遊技機２ｂにより遊技者が玉を打込んでいない場合にはＳ７によりＮＯの判断がなされる。一方、パチンコ遊技機２ｂにより打込玉が検出されてその検出信号が対応するカード処理機１ｂに入力されれば、Ｓ７によりＹＥＳの判断がなされてＳ１１により打込玉検出信号を対応するパチンコ遊技機２ｂに隣接するカード処理機１ｃへ送信する処理がなされる。たとえば、その打込玉検出信号がカード処理機１ａからカード処理機１ｂに送信されてきた場合には、Ｓ８によりＹＥＳの判断がなされることとなる。ところが、カード処理機１ｂの両隣に隣接するパチンコ遊技機２ａ、２ｂともに遊技者が遊技領域５にパチンコ玉を打込んでいない場合には、Ｓ７とＳ８とでＮＯの判断がなされる。その状態が、所定時間（たとえば２分間）継続した場合には、Ｓ９によりＹＥＳの判断がなされてＳ１０に進み、カード処理機１ｂのファンモータ２２ｍを停止させる処理が行なわれてＳ６へ戻る。その結果、カード処理機１ｂのシロッコファン２２が停止され、エア吹出口４からのエアの吹出しが停止される。所定時間（たとえば２分間）以上遊技領域に打玉が打込まれないということは、そのパチンコ遊技機で遊技が行なわれていないすなわち遊技者がいないということであり、煙草の煙のためのエアカーテンが必要ないためにファンモータ２２ｍが停止されるのである。なお、Ｓ１０で、カード処理機１ｂのファンモータ２２ｍを低速で駆動させる処理を行ない、吹出口４からのエアの吹出し勢いを弱くするようにしてもよい。
【００４０】
一方、遊技者がパチンコ遊技機２ｂにより遊技をするべくカード処理機１ｂの紙幣挿入口３に紙幣を挿入しようとした場合には、その遊技者の手が接近感知センサ１０により検出され、Ｓ６によりＹＥＳの判断がなされてＳ１０へ進み、ファンモータ２２ｍが停止される。その結果、遊技者が紙幣を紙幣挿入口３に挿入する際に吹出口４からの吹出エアが邪魔になる不都合が防止できる。
【００４１】
次に、遊技者がパチンコ遊技機２ｂの上皿６に貸出されたパチンコ玉を遊技領域５に打込めば、Ｓ７によりＹＥＳの判断がなされてＳ１１により打込玉検出信号を対応するパチンコ遊技機２ｂに隣接するカード処理機１ｃへ送信する処理がなされる。次にＳ１２により、遊技機から大当り中信号の入力があったか否かの判断がなされる。パチンコ遊技機２ｂで未だに大当り状態が発生していない場合には、Ｓ１２によりＮＯの判断がなされてＳ１３へ進み、隣のカード処理機１ａから高速駆動コマンドの入力があったか否かの判断がなされる。この高速駆動コマンドは、隣のカード処理機１ａが対応するパチンコ遊技機２ａが大当り状態となって大当り中信号がカード処理機１ａに入力されたときにそのカード処理機１ａから送信されてくるコマンドである。隣のパチンコ遊技機２ａが未だ大当り状態となっていない場合にはＳ１３によりＮＯの判断がなされてＳ１７へ進み、ファンモータ２２ｍを通常速度で駆動する制御が行なわれてＳ６へ戻る。
【００４２】
つまり、カード処理機１ｂは、対応するパチンコ遊技機２ｂに遊技者がいると判断されるときであってかつ左右両側のパチンコ遊技機２ａ、２ｂがともに大当り状態中でないときには、Ｓ１７により、モータファン２２ｍを通常速度で駆動する制御が行なわれて通常の吹出し勢いでエアが吹出口４から吹出されることとなる。
【００４３】
一方、対応するパチンコ遊技機２ｂにより大当り状態が発生した場合には前述したように大当り中信号がカード処理機１ｂのファンモータ駆動用マイクロコンピュータ４３に入力される。すると、Ｓ１２によりＹＥＳの判断がなされてＳ１４へ進み、前回の大当り中信号の入力から所定時間（たとえば５分間）が経過したか否かの判断がなされる。経過している場合にはＳ１５へ進み、高速駆動コマンドを対応する遊技機２ｂに隣接するカード処理機１ｃへ送信する処理がなされ、Ｓ１６により、ファンモータを高速駆動する制御がなされてＳ６へ戻る。
【００４４】
一方、隣のパチンコ遊技機２ａにおいて大当り状態が発生した場合には大当り中信号が隣のカード処理機１ａに入力され、それに基づいて前述の高速駆動コマンドがカード処理機１ｂのファンモータ制御用マイクロコンピュータ４３に入力される。すると、Ｓ１３によりＹＥＳの判断がなされてＳ１６により、ファンモータ２２ｍを高速駆動する制御がなされる。
【００４５】
その結果、カード処理機１ｂは、対応するパチンコ遊技機２ｂにおいて打玉が遊技領域に打込まれている状態で、左右両側のパチンコ遊技機２ａ、２ｂのいずれか一方において大当り状態が発生すれば、シロッコファン２２が高速回転してエア吹出口４から強い勢いでエアが吹出される。これは、前述したように、大当りが発生すれば一般的に遊技者は煙草を吸い始める傾向があり、それに対応してエア吹出口４からのエアの吹出し勢いを強にするのである。なお、大当り発生確率が向上した確率変動状態等においては、大当り状態が終了した後すぐに次の大当りが発生する場合がある。そのような場合には、遊技者は前回の大当りで既に煙草を吸っているために、後続の大当りでさらに煙草を吸う可能性が低いため、
そのような前回の大当りの終了後すぐに次の大当りが発生した場合には、Ｓ１４によりＮＯの判断がなされることとなり、ファンモータ２２ｍを通常速度で駆動する制御が行なわれることなる。
【００４６】
なお、大当り中継続して大当り中信号が入力されるために大当り中継続してＳ１６が実行されることなる。それに代えて、大当り開始から所定時間（たとえば５分程度）を計時するタイマをセットして、タイマが計時中にはＳ１６のファンモータ高速駆動制御を行なう一方タイマがタイムアップした段階でＳ１７のファンモータ２２ｍを通常速度で駆動する制御に移行するように制御してもよい。
【００４７】
［第２の実施の形態］
次に、第２の実施の形態を説明する。前述した第１の実施の形態と同一部分については説明の繰返しを省略し、主に異なる部分について説明する。
【００４８】
この第２の実施の形態におけるカード処理機１ａ、１ｂ、１ｃ…は、紙幣を収納する金庫３０を内蔵しており、紙幣挿入口３から挿入された紙幣がその金庫３０内に収納されるように構成されている。
【００４９】
図６は、第２の実施の形態におけるカード処理機を示す図である。図６（ａ）は正面図、図６（ｂ）は内部の構成を示す断面図、図６（ｃ）は上方から見た平面図である。
【００５０】
紙幣挿入口３の背面側には、挿入された紙幣の真贋を識別する紙幣識別機付きの金庫３０が設けられている。そして、紙幣挿入口３から挿入された紙幣が紙幣識別機で識別され、適正な紙幣であると識別されればその紙幣が金庫３０内に取込まれる。
【００５１】
この比較的大型の金庫３０が設けられている関係上、第１の実施の形態で説明したシロッコファン２２をカード処理機１ｂ内に設けるスペースがない。そこで、この第２の実施の形態においては、シロッコファン２２をカード処理機１ｂの背面側側方にはみ出して設けている。そして、エア吸込口１２から吸込まれたエアが、吸込経路２７、シロッコファン２２、吹出経路２４を経由してエア吹出口４から吹出される。さらに、電源基板１９もカード処理機１ｂの背面側側方にはみ出して設けられている。ファンモータ制御基板２１は、中継基板２０を経由してシロッコファン２２のファンモータ２２ｍを制御する。さらに、カード処理機１ｂの前面パネル３５には、赤外線感知センサ３１が設けられている。これは、金庫３０のロックを解除して金庫３０を前面パネル３５と共に前方に引き出して収納されている紙幣を取出す際に、ロック解除用のリモコンからのロック解除信号を受信するセンサである。その赤外線センサ３１の検出信号がファンモータ制御基板２１に入力される。
【００５２】
図７は、第２の実施の形態におけるカード処理機のエアの流れを示す図であり、（ａ）は吹出経路２４部分における縦断面図であり、（ｂ）は（ａ）のＡ−Ａ断面図である。
【００５３】
シロッコファン２２からのエアは吹出経路２４を経由して吹出口４から吹出される。その吹出経路２４の先端にはゴム等の弾性部材からなるパッキン３３が設けられている。前述したように、金庫３０は前面パネル３５と共に前方に引出されるように構成されており、引出された金庫３０を再度元の位置に押込んだ際に、前面パネル３５側の吹出口４の背面側部材３４とパッキン３３とが連結されて、吹出すエアがその連結部から漏れ出さないように構成されている。このことを図８および図９に基づいて説明する。
【００５４】
図８および図９は、前面パネル３５と共に金庫３０が引出された状態が示されている。金庫３０は、通常はカード処理機１ｂ内に押込まれて収納された状態となっており、その収納状態でロック機構（図示省略）によってロックされている。このロック機構は、ソレノイド（図示省略）と金庫挿入検知センサとが設けられている。前述したリモコンを操作してロック解除信号をリモコンから発信させその信号を赤外線センサ３１が受信すると、その受信信号がファンモータ制御基板２１に入力され、後述するようにロック機構のソレノイドが励磁される。その結果、ロック機構のロックが解除されて前面パネル３５と共に金庫が引出し可能となる。前面パネル３と共に金庫を引出してその中に収納されている紙幣を遊技場の店員が取出した後、再度金庫３０を前面パネル３５と共にカード処理機１ｂ内に押込むと、自動的にロック機構が作動してロック状態となるとともに、金庫挿入検知センサ３９（図１３参照）が金庫の挿入を検出してその検出信号がファンモータ制御基板２１に入力される。
【００５５】
吹出経路２４の先端に設けられているパッキン３３は、図９に示すような形状となっており、金庫３０を前面パネル３５と共にカード処理機１ｂ内に押込むことによって、パッキン３０とエア吹出口４の背面側部材３４とが連結される。すなわち、パッキン３３の先端側が背面側部材３４内に入り込んだ状態で連結され、エアが連結部から漏れないように構成されている。
【００５６】
図１０は、パッキン３３を、エア吹出口４の背面側部材３４側に設けた例を示している。この例の場合には、金庫３０を前面パネル３５と共に引出した場合には、背面側部材３４側に設けられているパッキン３３も背面側部材３４と一体となって引出される。この状態で、金庫３０を前面パネル３５と共にカード処理機１ｂ内に押込めば、パッキン３３の背面側が吹出経路２４の先端内に入り込み、エアが漏れ出さないように連結される。図１１および図１２は、金庫３０が内蔵されているカード処理機１ｂにおけるファンを軸流ファン３６で構成した例を示している。図１０に示したシロッコファン２２の場合には、形状が大きいために、シロッコファン２２の向きを横向きにし、遊技機設置島１００における反対側の列に設けられている遊技機やカード処理機の背面側とシロッコファン２２とが接触しないようにしている。一方、図１１に示す軸流ファン３６の場合には、後方への突出量がシロッコファン２２に比べて小さいために、カード処理機１ｂの背面側に設けても、遊技機設置島１００の反対側の列に設けられている遊技機の背面側にある制御基板等と接触することを防止できると共に、対応する遊技機の背面側にある制御基板等と接触することも防止することができる。この軸流ファン３６は、図１２の（ｂ）に示すように、軸流ファン３６のプロペラ３７が縦方向を回転軸として回転する。そして、下方に設けられたエア吸込口１２からエアを吸込んで、吸込経路２７、軸流ファン３６、吹出経路２４を経由してエア吹出口４からエアを吹出す。なお、プロペラ３７は、１つに限らず、回転軸方向に直列に複数設けてもよい。
【００５７】
図１３は、第２の実施の形態におけるカード処理機１ａ、１ｂおよびパチンコ機２ａ、２ｂの制御回路を示すブロック図である。
【００５８】
第１の実施の形態における図４に示したブロック図との相違点は、ファンモータ制御用マイクロコンピュータ４３の入出力インターフェイス４７に、前述したロック解除用のソレノイド５０と、赤外線感知センサ３１と、金庫挿入感知センサ３９とが接続されている点である。金庫３０のロックを解除するべく遊技場の店員がリモコンを操作して解除信号を赤外線感知センサ３１に送信すれば、赤外線感知センサ３１がそれを検出して検出信号が入出力インターフェイス４７を経由してＣＰＵ４４に入力される。ＣＰＵ４４は、その検出信号に基づいてロック機構のソレノイド５０を励磁してロックを解除する制御を行なう。遊技場の店員が金庫３０を引出して収納されている紙幣を取出した後金庫３０を再度カード処理機１ｂ内に挿入すれば、金庫挿入感知センサ３９がそれを検出して検出信号が入出力インターフェイス４７を経由してＣＰＵ４４に入力される。
【００５９】
図１４は、図１３に示したファンモータ制御用マイクロコンピュータ４３の制御動作を示すフローチャートである。図５に示した第１の実施の形態におけるフローチャートとの相違点を主に説明する。
【００６０】
まず、Ｓ１により、赤外線感知センサ３１がＯＮになっているか否かの判断がなされ、なっていない場合にはＳ２に進み、金庫開放フラグがＯＮになっているか否かの判断がなされる。この金庫開放フラグは、金庫３０が開放されたときにＯＮにセットされるフラグである。金庫開放フラグがＯＮになっていない場合にはＳ６以降の制御が実行される。このＳ６以降の制御は、図５に示したＳ６以降と同じ制御であるために、ここでは説明の繰返しを省略する。
【００６１】
遊技場の係員が金庫３０を開放するべくリモコンを操作して開放信号を赤外線検知センサ３１へ送信すれば、赤外線感知センサがＯＮになっていると判断されてＳ１によりＹＥＳの判断がなされ、Ｓ５により金庫開放フラグをＯＮにセットする制御が行なわれる。次にＳ１８へ進み、金庫のロック機構を解除するソレノイドをＯＮ（励磁）する制御が行なわれる。これにより、ロックが解除されて金庫３０が引出し可能となる。金庫３０が引出された状態では、金庫挿入感知センサがＯＮになっていないために、Ｓ３によりＮＯの判断がなされてＳ１０へ進み、ファンモータ２２ｍを停止させてエア吹出口４からのエアの吹出しを停止させる制御が行なわれる。
【００６２】
金庫３０が引出された状態では、前述のＳ５により金庫開放フラグがＯＮになっているために、赤外線感知センサ３１が赤外線を感知しなくなったときにおいても、Ｓ２により金庫開放フラグがＯＮになっていると判断され、Ｓ１８、Ｓ３、Ｓ１０の制御が継続して実行されることとなる。この状態で、遊技場の店員が金庫３０内の収納紙幣を取出して金庫３０をカード処理機１ｂ内に押込めば、金庫挿入感知センサ３９がＯＮになってＳ３によりＹＥＳの判断がなされ、制御がＳ４へ進み、金庫開放フラグをＯＦＦにする制御がなされた後、Ｓ６に移行する。Ｓ４により金庫開放フラグをＯＦＦに切換えられたために、Ｓ２によりＮＯの判断がなされることとなり、Ｓ６以降の制御が実行されることとなる。
【００６３】
次に、以上説明した実施の形態における効果を列挙する。
（１）  カード処理機１ａ、１ｂ、１ｃ…に紙幣挿入口３が縦長状に設けられ、その紙幣挿入口３の側方に縦長状のエア吹出口４が設けられているために、カード処理機１ａ、１ｂ、１ｃ…の横幅を小さくすることができ、当該カード処理機１ａ、１ｂ、１ｃ…が占有する台間スペースを小さくすることができる。その結果、遊技機設置島１００に設置可能となる遊技機の設置台数を増やすことができる。あるいは、カード処理機１ａ、１ｂ、１ｃ…の隣にたとえば液晶サンド（液晶表示装置により対応する遊技機の遊技履歴等を表示可能なサンド）を設けることが可能となる。
【００６４】
（２）  カード処理機１ａ、１ｂ、１ｃ…は、紙幣挿入口３への物体の接近を検知する接近感知センサ１０が設けられており、その接近感知センサによる物体の検知に基づき、エア供給部からのエア吹出口４へ供給されるエアの強さを弱めるまたは停止するようにしているので、遊技者が紙幣を挿入する際に吹出すエアが邪魔するおそれがない。
【００６５】
（３）  カード処理機１ａ、１ｂ、１ｃ…は、紙幣挿入口３に挿入された紙幣を収納するとともに開放されることでカード処理機前方から収納された紙幣を取出し可能な金庫３０が設けられており、その金庫３０を開放するときに、エア供給部からエア吹出口４へ供給されるエアの強さを弱めるまたは停止するようにしているために、遊技場の店員が紙幣を回収する際には吹出すエアが邪魔するおそれがない。
【００６６】
（４）  前述の金庫３０は、エア吹出口４が設けられたカード処理機１ａ、１ｂ、１ｃ…の前面パネル３５とともに前方に引出され、前面パネル３５のエア吹出口４の背面側部材３４またはエアをエア吹出口４へ誘導する吹出経路２４の先端に設けられ、金庫３０が閉塞されたときに吹出経路２４の先端とエア吹出口４の背面側部材３４を連結する連結部としてのパッキン３３が設けられ、そのパッキン３３が弾性部材（ゴム等）により構成されている。その結果、金庫３０を引出した後に金庫を元の位置に戻した場合であってもエア漏れが生ずるおそれがない。また、たとえば、吹出経路２４をフレキシブルなエア供給用のチューブで構成し、金庫３０とともに進退させるような場合には、そのチューブが折れ曲がり、エアを遮断してしまったり、進退の途中で他の部材に引っ掛かって破損してしまうおそれがあるが、前述したパッキン３３による連結の場合には、そのような不都合が生ずるおそれもない。
【００６７】
（５）  カード処理機１ａ、１ｂ、１ｃ…は、対応するパチンコ遊技機２ａ、２ｂ、２ｃ…における遊技に伴い発生する遊技情報（たとえば大当り中信号等）が入力され、その入力された遊技情報に基づいて、エア供給部からエア吹出口４へ供給されるエアの強さを変更する変更制御を行なうために、遊技機の遊技状況に応じて、吹出すエアを適切な強さに調整することができる。特に大当りが発生すると一般的に遊技者が喫煙を開始する傾向にあるが、大当りの発生したパチンコ遊技機２ｂに対応するカード処理機１ｂにおいて、吹出すエアが強くなるように制御しているために、大当りが発生して遊技者が喫煙を開始したことに対応することができる。一方、パチンコ遊技機２ｂがたとえば確率変動状態（高確率状態）となり大当りが連続して発生した（連荘した）場合には、１回目の大当りの際に既に喫煙して煙草を吸い終わっているために、２回目の大当りの発生時には喫煙を開始しないのが一般的であるが、そのような大当りが連荘した場合には吹出すエアの強さを強く制御することなく通常の強さに維持するために、無駄にエアの吹出しを強く制御する不都合が防止できる。また、パチンコ遊技機２ｂから所定時間打込玉検出信号が入力されてきていない場合には、そのパチンコ遊技機２ｂで遊技を行なっている遊技者がいない可能性が高いため、そのような場合にはエアの吹出しを停止するように制御しているために、遊技者がいないにもかかわらず無駄にエアを吹出す不都合を防止することができる。
【００６８】
（６）  台間表示装置１ｂのファンモータ制御用マイクロコンピュータ４３は、シロッコファン２２からエア吹出口４ａ、４ｂへ供給されるエアの強さを変更する変更制御を行なうときに、対応するパチンコ遊技機２ｂの方向に隣接する遊技用表示装置１ｃにおいてもエアの強さを変更するための制御を行なうために、パチンコ遊技機２ｂの両側に隣接する遊技用装置１ｂ、１ｃがともに、当該パチンコ遊技機２ｂの遊技状況に応じて吹出すエアーの強さを適切な強さに調整することができる。
【００６９】
次に、以上説明した実施の形態における変形例や特徴点等を以下に列挙する。
（１）  図５または図１４で示したＳ１０によりファンモータ２２ｍを停止する制御を行なったが、それに代えて、ファンモータを低速で駆動するように制御し、エア吹出口４からのエアの吹出し勢いを弱くするように制御してもよい。また、エア吹出口４からのエアの吹出し勢いの調節は、ファンモータの制御に代えて、エア吹出口４あるいは吹出経路２４を閉塞または開放するシャッタを設け、このシャッタの閉塞または開放制御あるいは半開き制御によって、吹出し勢いを制御するようにしてもよい。さらには、吹出経路２４を切換えてたとえばカード処理機背面側から吹出すように切換えることにより、エア吹出口４からのエアの吹出勢いを調整するようにしてもよい。
【００７０】
（２）  たとえば図２ではシロッコファン２２をエア吹出口４の下方に設け、下方から上方に向かってエアを供給するものを示したが、それに代えて、吹出経路２４を紙幣識別機１７の背面側を通って上方に延設して前面側のエア吹出口４に臨ませ、エアを上方からエア吹出口４に供給するようにしてもよい。そのように構成すれば、上方から下向きにエアが吹出されやすくなり、煙草の煙のエアカーテン効果がさらに一層向上することが期待できる。さらには、シロッコファン２２を紙幣識別機１７の上方に設け、上方から下向きにエア吹出口４にエアを供給するようにしてもよい。
【００７１】
（３）  前述の実施の形態では、電源投入によりファンモータ２２ｍが回転を開始するものを示したが、それに代えて、電源投入後ファン作動スイッチを遊技場の店員が手動でＯＮ操作することによりファンモータ２２ｍが回転を開始するようにしてもよい。また、第２の実施の形態において、金庫３０を引出した後、再挿入し、その状態でファン作動スイッチを遊技場の店員が手動でＯＮ操作することにより、ファンモータ２２ｍが回転を開始し、エア吹出口４からエアが吹出されるように構成してもよい。
【００７２】
また、金庫３０の開放は、リモコン操作によりロックを解除する代わりにまたはそれに加えて、遊技場の店員が所持している鍵による開錠操作によって、ロックが解除されて開放可能となるようにしてもよく、さらには、ホール用管理コンピュータ４９からの遠隔操作で開放できるように構成してもよい。さらには、対応するパチンコ遊技機２ｂの前面枠を開放して、カード処理機１ｂの背面側から金庫３０を開放して収納紙幣を取出せるようにしてもよい。
【００７３】
（４）  前述したパッキン３３によって、吹出経路２４の先端とエア吹出口４の背面側部材３４とを連結する代わりに、吹出経路２４をフレキシブルなチューブで構成し、その先端をエア吹出口４の背面側部材３４と一体的に取付け、金庫の引出し時にフレキシブルなチューブが背面側部材３４とともに引出されるように構成してもよい。
【００７４】
（５）  前述した実施の形態では、大当り中信号は、パチンコ遊技機の枠に設けられている外部出力端子から中継用島コンピュータ４８を経由してホール用管理コンピュータ４９へ出力される。その外部出力端子から分岐させて大当り中信号がカード処理機のファンモータ制御基板に入力されるように構成した。しかし、それに代えて、ホール用管理コンピュータ４９を経由して大当り中信号が対応するカード処理機のファンモータ制御基板２３へ送信されてくるように構成してもよい。さらには、大当り中に点灯する幕板に設けられた呼出ランプから大当り中信号をファンモータ制御基板２３に入力するようにしてもよい。
【００７５】
（６）  前述したカード処理機１ａ、１ｂ、１ｃ…では、ＩＣコイン投入口１３が設けられ、投入されたＩＣコインが流下してＩＣコイン返却口１６から返却されるように構成されているために、そのＩＣコインの流下径路を確保するスペースが必要であった。このＩＣコイン投入口１３をなくしてＩＣコインの流下径路を省くことによって、空きスペースが確保でき、その空きスペースに、たとえば、貯玉再プレーを行なうための再プレーボタン、携帯電話を利用した電子マネーを用いた玉貸を行なうための機能等、種々の機能を設けるようにしてもよい。このように、玉貸のための種々の機能は、確保される空きスペース次第でカード処理機に随時設けるようしてもよい。
【００７６】
（７）  カード処理機１ａ、１ｂ、１ｃ…を、パチンコ遊技機２ａ、２ｂ、２ｃ…１台ごとに対応させて遊技機設置島１００に設置しているが、それに代えて、２台の遊技機に対応して１台カード処理機を設けるようにしてもよい。
【００７７】
（８）  前述の実施の形態では、対応するパチンコ遊技機２ｂからの打込玉検出信号を、そのパチンコ遊技機２ｂに対応するカード処理機１ｂを経由してそのパチンコ遊技機２ｂに隣接するカード処理機１ｃに入力していた。しかしそれに限らず、パチンコ遊技機２ｂからの打込玉検出信号を２つに分岐させて、そのパチンコ遊技機２ｂに対応するカード処理機１ｂと隣接するカード処理機１ｃとに直接入力してもよい。
【００７８】
（９）  エアを供給するためのファンを各カード処理機１ａ、１ｂ、１ｃ…に１つずつ設ける代わりに、図１５に示すように、遊技機設置島１００に大型の軸流ファン３６を設け、その軸流ファン３６からのエアを複数台（図１５では３台）のカードユニット１ａ、１ｂ、１ｃの各吹出経路２４に供給し、各エア吹出口４からエアが吹出されるように構成してもよい。この場合のエアの吹出し勢いの調整や吹出しの停止は、たとえば、エア吹出口４あるいは吹出経路２４を閉塞または開放するシャッタを設け、このシャッタの閉塞または開放制御あるいは半開き制御によって、制御する。
【００７９】
（１０）  前述した実施の形態では、大当り中信号や打込玉検出信号等の遊技機における遊技に伴い発生する遊技情報を入力する入力部（入出力インターフェイス４７）と、その入力部に入力された遊技情報に基づいてエア供給部からエア吹出口４へ供給されるエアの強さを変更する制御である変更制御を行なう遊技状況対応エア制御手段（Ｓ１２、Ｓ１４、Ｓ１６、Ｓ１７、Ｓ７、Ｓ９、Ｓ１０）とが、各カード処理機１ａ、１ｂ、１ｃ…に設けられた例を説明した。また、カード処理機１ｂの入力部に入力された遊技情報に基づいて、対応するパチンコ遊技機２ｂ側に隣接するカード処理機１ｃに対し、前記変更制御を行なわせる指令情報を送信する旨を示した。
【００８０】
しかし、本発明はそれに限定されるものではなく、たとえば、入力部と遊技状況対応エア制御手段とをホール用管理コンピュータ４９や中継用島コンピュータ４８に設け、ホール用管理コンピュータ４９や中継用島コンピュータ４８に設けられた遊技状況対応エア制御手段が、入力部に入力された遊技情報の出力元のパチンコ遊技機２ｂに対応するカード処理機１ｂに設けられたファンを遠隔制御（対応するカード処理機のファンに指令情報を送信する制御）で実行するようにしてもよい。この遠隔制御が前述の変更制御に該当する。この場合は、ホール用管理コンピュータ４９や中継用島コンピュータ４８は、対応するパチンコ遊技機２ｂ側に隣接するカード処理機１ｃに設けられたファンを遠隔制御（カード処理機１ｃのファンに指令情報を送信）する。この遠隔制御が、遊技状況対応エア制御手段が前記変更制御を行なうときに、対応するパチンコ遊技機２ｂ側に隣接するカード処理機１ｃにおいて、前記エアの強さを変更するための制御（以下「隣接遊技用装置変更制御」という）に該当する。
【００８１】
さらには、図１５に示した遊技機設置島１００に設けられている大型の軸流ファン３６に制御用マイクロコンピュータを設け、その制御用マイクロコンピュータに前述の遊技状況対応エア制御手段を設け、ホール用管理コンピュータ４９や中継用島コンピュータ４８に設けられた前述の入力部に入力された遊技情報に基づく指令情報を対応する制御用マイクロコンピュータへ送信し、制御用マイクロコンピュータの遊技状況対応エア制御手段により前記遊技情報の発生元のカード処理機１ｂのエア吹出口４または吹出経路２４のシャッタを制御するようにしてもよい。このカード処理機１ｂのエア吹出口４または吹出経路２４のシャッタを制御することが、前述の変更制御に該当する。この場合には、対応するパチンコ遊技機２ｂ側に隣接するカード処理機１ｃの吹出口４または吹出経路２４のシャッタも制御する。この制御が、前述の隣接遊技用装置変更制御に該当する。
【００８２】
また、前述の遊技状況対応エア制御手段を各カード処理機１ａ、１ｂ、１ｃ…に設け、ホール用管理コンピュータ４９や中継用島コンピュータ４８に入力部を設け、当該入力部に入力された遊技情報に基づき指令情報をカード処理機１ａ、１ｂ、１ｃ…へ送信し、カード処理機１ａ、１ｂ、１ｃ…に設けられている遊技状況対応エア制御手段がその送信されてきた指令情報に基づいて前記変更制御を行なうようにしてもよい。また、ホール用管理コンピュータ４９や中継用島コンピュータ４８は、対応するパチンコ遊技機２ｂ側に隣接するカード処理機１ｃにも指令情報を送信する。この対応するカード処理機１ｃに指令情報を送信する制御が、前述の対応遊技用装置変更制御に該当する。また、前述の送信手段を各カード処理機１ａ、１ｂ、１ｃに設け、前記変更制御を行なったカード処理機１ｂの送信手段から対応するパチンコ遊技機２ｂ側に隣接するカード処理機１ｃに対し前記指令情報を送信するようにしてもよい。
【００８３】
さらには、大型の軸流ファン３６に設けられた制御用マイクロコンピュータに、前述の入力部と遊技状況対応エア制御手段との両方を設け、遊技機における遊技に伴い発生する遊技情報がその入力部に入力されてその遊技情報に基づいて制御用マイクロコンピュータの遊技状況対応エア制御手段が、対応するカード処理機１ｂのエア吹出口４または吹出経路２４のシャッタを制御する。このエア吹出口または吹出経路のシャッタを制御することが、前述の変更制御に該当する。この場合において、制御用マイクロコンピュータは、前記変更制御を行なったカード処理機１ｂに対応するパチンコ遊技機２ｂ側に隣接するカード処理機１ｃのエア吹出口４または吹出経路２４のシャッタも制御する。この隣接するカード処理機１ｃのエア吹出口４または吹出経路２４のシャッタを制御することが、前述の隣接遊技用装置変更制御に該当する。
【００８４】
以上説明したように、本発明で言う「貸与処理手段（たとえば、制御基板１８）」は、必ず遊技機（たとえばパチンコ遊技機）に対応しているが、その他の「エア供給部（たとえば、ファンと吹出経路２４）」や「物体接近時エア制御手段（たとえば、図５、図１５のＳ６、Ｓ１０）」や「金庫開放時エア制御手段（たとえば、図１５のＳ１、Ｓ１０）」や「入力部（たとえば入出力インターフェイス４７）」や「遊技状況対応エア制御手段（たとえば、図５、図１５のＳ７、Ｓ９、Ｓ１０、Ｓ１２、Ｓ１４、Ｓ１６、Ｓ１７）」等は、必ずしも遊技機に対応して設けなくてもよい。よって、本発明の「遊技用装置」は、たとえば、前述したように、入力部と遊技状況対応エア制御手段とがホール用管理コンピュータ４９に設けられ、その他はカード処理機に設けられている場合には、そのホール用管理コンピュータ４９とカード処理機との両者によって構成されるものである。すなわち、本発明で言う「遊技用装置」は、前述の実施の形態のように、入力部と遊技状況対応エア制御手段等すべてがカード処理機に設けられている場合には、そのカード処理機単独で構成されるが、前述したように複数の機器から構成されるものも含むものである。
【００８５】
さらに、本発明でいう「エア供給部」は、ファンと吹出経路２４とから構成されており、図１５に示したような大型の軸流ファン３６が遊技機設置島１００に設けられている場合には、その遊技機設置島１００に設けられている軸流ファン３６と吹出経路２４とによって、エア供給部が構成されることとなる。この場合においては、カード処理機には、エア供給部の一部（吹出経路２４）のみが設けられていることとなる。
【００８６】
（１１）  前述の実施の形態では、紙幣挿入口３が各カード処理機１ａ、１ｂ、１ｃ…に設けられたものを示したが、その代わりに、各カード処理機１ａ、１ｂ、１ｃ…の上方のたとえば幕板等にそれぞれ紙幣挿入口３を設けるようにしてもよい。
【００８７】
（１２）  前述の実施の形態では、玉貸用の制御部（たとえば制御基板１９）とエア制御部（たとえばファンモータ制御基板２３）とが別体のもので構成されたものを示したが、両者を１つの制御部（たとえば１つの制御基板あるいは１つのマイクロコンピュータ）で構成してもよい。
【００８８】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【図面の簡単な説明】
【００８９】
【図１】遊技機設置島１００に設置されたカード処理機およびパチンコ遊技機の正面図である。
【図２】カード処理機の構成を示す図である。
【図３】カード処理機におけるエアの流れを説明するための図である。
【図４】カード処理機およびパチンコ遊技機の制御回路を示すブロック図である。
【図５】カード処理機におけるファンモータ制御用マイクロコンピュータの制御動作を示すフローチャートである。
【図６】第２の実施の形態におけるカード処理機を示す図である。
【図７】第２実施の形態におけるカード処理機のエアの流れを示す図である。
【図８】第２実施の形態における金庫の引出し状態を説明する説明図である。
【図９】第２の実施の形態におけるカード処理機の金庫の引出し状態を説明する斜視図である。
【図１０】第２の実施の形態におけるカード処理機の金庫の引出し状態を説明する説明図である。
【図１１】第２の実施の形態においてシロッコファンを軸流ファンに変更した場合のカード処理機を示す図である。
【図１２】第２の実施の形態における軸流ファンによって生ずるエアの流れを説明する図である。
【図１３】第２の実施の形態におけるカード処理機とパチンコ遊技機との制御回路を示すブロック図である。
【図１４】第２の実施の形態におけるファンモータ制御用マイクロコンピュータの制御動作を示すフローチャートである。
【図１５】複数台のカード処理機に対して１台の大型軸流ファンによってエアを供給する変形例を示した図である。
【符号の説明】
【００９０】
１ａ，１ｂ，１ｃ…  カード処理機、２ａ，２ｂ，２ｃ…  パチンコ遊技機、４  エア吹出口、２４  吹出経路、２７  吸込経路、２２  シロッコファン、２１  ファンモータ制御基板、１７  紙幣識別機、１８  制御基板、１９  電源基板、３  紙幣挿入口、１１  接近感知センサ、４３  ファンモータ制御用マイクロコンピュータ、４４  ＣＰＵ、４５  ＲＯＭ、４６  ＲＡＭ、４７  入出力インターフェイス、２２ｍ  ファンモータ、４９  ホール用管理コンピュータ、４８  中継用島コンピュータ、４０  打込玉検出スイッチ、３０  金庫、３１  赤外線センサ、３９  金庫挿入感知センサ、３６  軸流ファン。
【図１】
0005228196.tif 000002
【図２】
0005228196.tif 000003
【図３】
0005228196.tif 000004
【図４】
0005228196.tif 000005
【図５】
0005228196.tif 000006
【図６】
0005228196.tif 000007
【図７】
0005228196.tif 000008
【図８】
0005228196.tif 000009
【図９】
0005228196.tif 000010
【図１０】
0005228196.tif 000011
【図１１】
0005228196.tif 000012
【図１２】
0005228196.tif 000013
【図１３】
0005228196.tif 000014
【図１４】
0005228196.tif 000015
【図１５】
0005228196.tif 000016